(57)【要約】【課題】交信距離の低下を軽減する。【解決手段】基材１１上にＩＣ部１２とアンテナ部１３とを実装してなるＲＦＩＤデータキャリアＣにおいて、基材１１を紙で構成し、基材１１とアンテナ部１３との間に誘電率の変化が少なくかつ耐水性を有する材料で構成した被覆層２１を設けるものとする。【選択図】図１
2005071179.tif 000002
【特許請求の範囲】
【請求項１】
紙で構成された基材と、
前記基材の上に設けられ、外部Ｒ／ＷからのＵＨＦ〜マイクロ波帯域の電波でデータの送受信を行う通信手段、および該データを書き換え可能または読み出しのみ可能に格納する格納手段を有するＩＣ部と、
前記ＩＣ部に接続された導電体からなるアンテナ部と、
前記基材と前記アンテナ部との間に設けられ、誘電率の変化が少なくかつ耐水性を有する材料で構成された被覆層と、
を備えた
ことを特徴とするＲＦＩＤデータキャリア。
【請求項２】
前記被覆層が、前記アンテナ部のパターン形状と略同一のパターン形状で形成されていることを特徴とする請求項１に記載のＲＦＩＤデータキャリア。
【請求項３】
前記アンテナ部が、前記ＩＣ部に接続されたループ状または線状の放射器と、該放射器を挟んで対向配置された線状の導波器および反射器とを備えたパターンで構成され、前記被覆層が、前記基材と前記放射器との間に限定して設けられていることを特徴とする請求項１に記載のＲＦＩＤデータキャリア。
【請求項４】
前記被覆層が、ポリエステル樹脂またはアクリル系樹脂からなる合成樹脂フィルムであることを特徴とする請求項１ないし請求項３のいずれか１項に記載のＲＦＩＤデータキャリア。
【請求項５】
前記被覆層が、ポリエステル樹脂またはアクリル系樹脂からなる合成樹脂を含有した紫外線硬化型インキまたは蒸発乾燥型インキであることを特徴とする請求項１ないし請求項３のいずれか１項に記載のＲＦＩＤデータキャリア。
【請求項６】
前記被覆層は、誘電率が３〜３０程度の高誘電率の材料で構成されていることを特徴とする請求項１ないし請求項４のいずれか１項に記載のＲＦＩＤデータキャリア。
【請求項７】
前記被覆層は、隠蔽性の高い材料で構成されていることを特徴とする請求項１ないし請求項５のいずれか１項に記載のＲＦＩＤデータキャリア。
【請求項８】
前記被覆層にミシン加工またはハーフカット加工が施されていることを特徴とする請求項１に記載のＲＦＩＤデータキャリア。
【発明の詳細な説明】
【技術分野】
【０００１】
本発明は、Ｒ／Ｗからの電波によって各種データの送受信が非接触で行われるＲＦＩＤデータキャリアに関する。
【背景技術】
【０００２】
近年、商品や荷物などの物品に関する各種データを読み書きして物品の識別管理を行うためのデータキャリアシステムとして、物品に取り付けるＲＦＩＤデータキャリアと、アンテナおよびコントローラを備えたＲ／Ｗとを利用したシステムが構築されている（例えば特許文献１参照）。
【０００３】
この種のデータキャリアシステムでは、Ｒ／Ｗコントローラで制御されるＲ／Ｗアンテナから送信される電波通信によって、ＲＦＩＤデータキャリアに対して非接触で各種データの読み出しと書き込みが行えるのが特徴である。
【０００４】
ＲＦＩＤデータキャリアとしては、合成樹脂製の基材の上にＩＣチップとアンテナ部とを実装したものが一般的である。また、Ｒ／ＷとＲＦＩＤデータキャリアとの間の通信方式としては、静電結合方式，電磁誘導方式，マイクロ波方式，光通信方式などの各種方式が考えられているが、Ｒ／ＷアンテナとＲＦＩＤデータキャリアとの間の交信距離の問題やシステム構築コストの観点から、この中でも電磁誘導方式やマイクロ波方式のものが多数実用化されている。
【０００５】
【特許文献１】特開２０００−３２２５４５号公報
【発明の開示】
【発明が解決しようとする課題】
【０００６】
ところで、ＲＦＩＤデータキャリアを構成する基材として合成樹脂に替えて紙を使用して、Ｒ／ＷとＲＦＩＤデータキャリアとの間の通信方式にマイクロ波方式を採用した場合には、以下のような問題点がある。
【０００７】
すなわち、マイクロ波方式で利用されるマイクロ波帯の電波はノイズに強い特性があるが、同時に水分に弱いという特性を有していて水に吸収され易い。一方で、基材となる紙にアンテナ部を直接形成した場合には、紙が湿気などで吸湿しているとマイクロ波の電波が紙に吸収されてしまう。また、紙の誘電率の変化が起こる。このように、基材上で誘電率が変化するとアンテナ部の共振周波数にズレが生じ、ＲＦＩＤデータキャリアとＲ／Ｗアンテナとの間の交信距離が低下してしまうという不具合がある。なお、ＲＦＩＤデータキャリアアンテナの導電体部からの距離が近いほど誘電率の変化の影響が大きい。
【０００８】
本発明は、このような問題点を解決するためになされたものであり、その目的とするところは、Ｒ／Ｗとの交信距離の低下を軽減できるＲＦＩＤデータキャリアを提供することにある。
【課題を解決するための手段】
【０００９】
前記目的を達成するために、請求項１に係る発明は、紙で構成された基材と、前記基材の上に設けられ、外部Ｒ／ＷからのＵＨＦ〜マイクロ波帯域の電波でデータの送受信を行う通信手段、および該データを書き換え可能または読み出しのみ可能に格納する格納手段を有するＩＣ部と、前記ＩＣ部に接続された導電体からなるアンテナ部と、前記基材と前記アンテナ部との間に設けられ、誘電率の変化が少なくかつ耐水性を有する材料で構成された被覆層と、を備えたことを特徴とするＲＦＩＤデータキャリアを提供するものである。
【００１０】
請求項２に係る発明は、請求項１に記載のＲＦＩＤデータキャリアにおいて、前記被覆層が、前記アンテナ部のパターン形状と略同一のパターン形状で形成されていることを特徴とする。
【００１１】
また、請求項３に係る発明は、請求項１に記載のＲＦＩＤデータキャリアにおいて、前記アンテナ部が、前記ＩＣ部に接続されたループ状または線状の放射器と、該放射器を挟んで対向配置された線状の導波器および反射器とを備えたパターンで構成され、前記被覆層が、前記基材と前記放射器との間に限定して設けられていることを特徴とする。
【００１２】
さらに、請求項４に係る発明は、請求項１ないし請求項３のいずれか１項に記載のＲＦＩＤデータキャリアにおいて、前記被覆層が、ポリエステル樹脂またはアクリル系樹脂からなる合成樹脂フィルムであることを特徴とする。
【００１３】
さらにまた、請求項５に係る発明は、請求項１ないし請求項３のいずれか１項に記載のＲＦＩＤデータキャリアにおいて、前記被覆層が、ポリエステル樹脂またはアクリル系樹脂からなる合成樹脂を含有した紫外線硬化型インキまたは蒸発乾燥型インキであることを特徴とする。
【００１４】
また、請求項６に係る発明は、請求項１ないし請求項３のいずれか１項に記載のＲＦＩＤデータキャリアにおいて、前記被覆層は、誘電率が３〜３０程度の高誘電率の材料で構成されていることを特徴とする。
【００１５】
さらに、請求項７に係る発明は、請求項１ないし請求項３のいずれか１項に記載のＲＦＩＤデータキャリアにおいて、前記被覆層は、隠蔽性の高い材料で構成されていることを特徴とする。
【００１６】
さらにまた、請求項８に係る発明は、請求項１に記載のＲＦＩＤデータキャリアにおいて、前記被覆層にミシン加工またはハーフカット加工が施されていることを特徴とする。
【発明の効果】
【００１７】
本発明に係るＲＦＩＤデータキャリアによれば、紙で構成された基材と導電体で構成されたアンテナ部との間には、誘電率の変化が少なくかつ耐水性を有する材料で構成された被覆層が設けられており、通信時に基材が湿気などで水分を含んでいた場合であっても、被覆層は吸水しにくく誘電率の変化が少ないので、アンテナ部の共振周波数のズレが減少してＲ／Ｗアンテナとの交信距離の低下を軽減できるという効果を有する。
【発明を実施するための最良の形態】
【００１８】
以下、本発明の実施の形態について、添付図面を参照しながら詳細に説明する。
【００１９】
図１に示すように、本実施形態のＲＦＩＤデータキャリアＣ１は、所要形状に成形された基材１１の上にＩＣ部１２とアンテナ部１３とを実装したものである。このＲＦＩＤデータキャリアＣ１は、周波数がＵＨＦ（９５６ＭＨｚ）〜マイクロ波（２．４５ＧＨｚ）帯域の電波を利用して通信を行う電波方式を採用しており、静電結合方式や電磁誘導方式などの他の通信方式に比べると交信距離が比較的広範囲（約１〜４ｍ）に亘るのが特徴である。
【００２０】
そして、外部のＲ／Ｗコントローラで制御されるＲ／Ｗアンテナから送信されたマイクロ波帯域の電波をＲＦＩＤデータキャリアＣ１のアンテナ部１３で受信することでＲ／ＷとＲＦＩＤデータキャリアＣとの間で各種データの送受信が行われる。
【００２１】
本実施形態において、基材１１は紙で構成されるものであり、上質紙，コート紙，合成紙などの各種の紙類を用いるものとする。基材１１にこのような紙類を使用することにより、合成樹脂やその他の材料を使用した場合に比べると、ＲＦＩＤデータキャリアＣ１を廉価に製作できるとともにその薄型・軽量化を図ることができる。また、基材１１に必要事項を印刷できるという利点もあり、特にプリンタ適性が非常に優れている。
【００２２】
ＩＣ部１２は、Ｒ／Ｗコントローラとの間でＲ／Ｗアンテナを介して各種データの送受信を行う通信手段と、各種データを書き換え可能に記憶する記憶手段とを備えていれば良く、例えば通信回路とメモリとが内蔵された薄型ＩＣチップを使用できる。また、メモリとしてＥＥＰＲＯＭやフラッシュメモリを用いることで電池レスタイプのデータキャリアとすることが可能である。
【００２３】
アンテナ部１３は、ＩＣ部１２に電気的に接続された導電性の皮膜で構成され、例えば銀ペースト，黒鉛，カーボンなどを含有した導電性インキを基材１１にパターン印刷することで形成できる。本実施形態のアンテナ部１３はその素子のパターン形状として９素子からなる八木・宇田アンテナ形状を採用している。
【００２４】
すなわち、アンテナ部１３は、ＩＣ部１２に接続された放射器１３−１と、この放射器１３−１を挟んで前後段に対向配置される導波器１３−２と反射器１３−３とを備えて構成されている。
【００２５】
前段の導波器１３−２は、放射器１３−１の素子の長さよりもやや短い直線状の素子で構成される。本実施形態では６本の素子からなる導波器１３−２，１３−２，…が、放射器１３−１からλ／４の距離を隔てて放射器１３−１に対して同間隔で平行配置されている。これらの導波器１３−２，１３−２，…は、Ｒ／Ｗアンテナから送信されたＵＨＦ〜マイクロ波帯域の電波を強めながら放射器１３−１に向けて送り込む作用をする。
【００２６】
中段の放射器１３−１は、ＩＣ部１２に２端で接続されたループ状または線状の素子で構成されており、１素子の長さはλ／２である。放射器１３−１は、外部から到来する電波や導波器１３−２から送り込まれた電波を捕捉する機能を有するとともに外部に電波を放射する機能も有している。
【００２７】
後段の反射器１３−３は、放射器１３−１の素子の長さよりも少し長めの直線状の素子で構成される。本実施形態では１本の反射器１３−３が、放射器１３−１からλ／４の距離を隔てて放射器１３−１に対して平行配置されている。この反射器１３−３は、導波器１３−２から放射器１３−１へと送り込まれた電波のうちで捕捉できずに漏れた電波を反射させて放射器１３−１へと送り返す作用をする。
【００２８】
さらに、本実施形態のＲＦＩＤデータキャリアＣ１では、基材１１とアンテナ部１３とが直接触れることのないように、両者間にはアンテナ部１３に比して誘電率の変化が少なくかつ耐水性を有する材料で構成された被覆層２１が基材１１の片側全面に設けられている。
【００２９】
吸水による誘電率の変化が少なく耐水性を有する材料としては、次に挙げる熱可塑性または熱硬化性の合成樹脂が用いられる。例えば、熱可塑性樹脂としては、ポリスチレンやＡＢＳ樹脂などのスチレン系樹脂，ポリプロピレンやポリエチレンやポリブチレンなどのオレフィン系樹脂，ポリフェニレンサルファイドやポリカーボネートなどのエンジニアリングプラスチック，ポリ塩化ビニル，アクリル樹脂，フッ素樹脂が挙げられる。また、熱硬化性樹脂としてはフェノール樹脂が考えられる。
【００３０】
その形成方法としては、この種の合成樹脂からなるフィルムを基材１１上に粘着剤で貼着する構成や、この種の合成樹脂を含有した紫外線硬化型（ＵＶ）インキや蒸発乾燥型インキを公知の印刷方式で印刷する構成を採用することができる。
【００３１】
また、被覆層２１の膜厚は少なくとも１μｍ以上有していれば効果がある。
【００３２】
ところで、マイクロ波帯域の電波は水に吸収され易い性質を有しており、また、媒体が水を吸収するとその媒体の誘電率が変化してアンテナ部の共振周波数にズレが生じ、データキャリアの交信距離が低下してしまうのは前述の通りである。また、ＲＦＩＤデータキャリアアンテナの導電体部からの距離が近いほど誘電率の変化の影響が大きい。
【００３３】
そこで、本実施形態のように、媒体となる紙で構成された基材１１と導電体で構成されたアンテナ部１３との間にこのような被覆層２１が設けられていると、通信時に基材１１が湿気で水分を含んでいた場合であっても、被覆層２１は誘電率の変化が少ないので、アンテナ部１３の共振周波数のズレが減少してＲ／Ｗのアンテナとの交信距離の低下を軽減できるのである。
【００３４】
また、本発明では、図１に示した構成に替えて図２ないし図８に示すような様々な変形例が考えられる。なお、図２ないし図８に示すＲＦＩＤデータキャリアＣ２ないしＣ８において、図１に示したＲＦＩＤデータキャリアＣ１と同一部材については同一符号を附してその詳細な説明は省略する。
【００３５】
まず、図２に示したＲＦＩＤデータキャリアＣ２では、被覆層２１が、アンテナ部１３を構成する素子のパターン形状と同一のパターン形状で基材１１上に部分的に形成されている点に特徴がある。
【００３６】
すなわち、本実施形態では、アンテナ部１３の素子のパターン形状がループ状または線状の放射器１３−１と、直線状の導波器１３−２，１３−２，…と、直線状の反射器１３−３とで構成されていることから、被覆層２１についてもループ状または線状の被覆層２１−１と、直線状の被覆層２１−２，２１−２，…と、直線状の被覆層２１−３とからなる略同一のパターン形状で構成されている。なお、被覆層２１が基材１１とアンテナ部１３との間に設けられる点は図１と同様である。
【００３７】
本実施形態では、特に被覆層２１を紫外線硬化型インキで印刷する方法を採用した場合において、高価な紫外線硬化型インキの使用箇所が図１に比べて省スペースで済むので製作コストの削減が図れるとともに、印刷パターンがアンテナ部１３の形状と同一形状なので製作を容易に行えるという利点がある。また、紙製の基材１１に印刷インキを使用したものであるからリサイクル性も優れている。
【００３８】
また、アンテナ部１３の素子のパターン形状として、放射器１３−１と導波器１３−２と反射器１３−３とで構成された八木・宇田アンテナ形状を採用した場合には、図３に示すように、少なくとも基材１１と放射器１３−１との間の箇所に限定して放射器１３−１と同じくループ状または線状の被覆層２１−１を形成するだけでも良い。このような構成であっても基材１１にアンテナ部１３を直接形成した構成に比べて交信距離の低下を防ぐことが可能になる。
【００３９】
さらには、アンテナ部１３を構成する素子のパターン形状として、図４に示すようなダイポールアンテナ形状や、図５に示すようなメアンダラインアンテナ形状とすることもできる。この場合にも基材１１とアンテナ部１３とが直接触れることのないように両者間に被覆層２１が設けられるものとする。
【００４０】
すなわち、図４のＲＦＩＤデータキャリアＣ４は、ＩＣ部１２の両端から直線状に延びる一対のダイポールアンテナ素子１３−４，１３−４が形成されており、このダイポールアンテナ素子１３−４と基材１１との間に帯状の被覆層２１−４が形成されている。
【００４１】
また、図５のＲＦＩＤデータキャリアＣ５は、図４のダイポールアンテナ素子１３−４の一変形例として、ＩＣ部１２の両端から延びる一対のアンテナ素子をジグザグに折り返してなるメアンダラインアンテナ素子１３−５，１３−５が形成されており、このメアンダラインアンテナ素子１３−５と基材１１との間に拡幅の帯状の被覆層２１−５が形成されている。
【００４２】
このように、アンテナ部１３を構成する素子のパターン形状としてダイポールアンテナ形状やメアンダライン形状を採用する場合には、少なくともアンテナ部１３のパターン形状と略同一形状（望ましくは基材１１の片側全面）であって、基材１１とアンテナ部１３との間に被覆層２１を設けることで、基材１１にアンテナ部１３を直接形成した場合に比べて交信距離の低下を軽減できる。
【００４３】
続いて、図６に示すＲＦＩＤデータキャリアＣ６は、紙製の基材１１上に形成される被覆層３１が誘電率の高い材料で構成されていることが特徴である。誘電率としては３〜３０程度の範囲が好適である。その理由は、後述の波長短縮効果により、誘電率が高いほど導電体部を紙から遠く離した場合と同じ効果があり、また、あまり誘電率が高すぎると損失となってしまうためである。高誘電率の材料の例としては、熱可塑性樹脂ではポリエチレンテレフタレートなどのポリエステル樹脂（誘電率：３．２），熱硬化性樹脂ではエポキシ樹脂（誘電率：４．０〜４．６），ポリウレタン樹脂（誘電率：４．２〜７．６）などが挙げられる。これらの合成樹脂は基材１１上に塗料としてパターン塗布される。
【００４４】
そして、この被覆層３１の上には銀ペースト，黒鉛，カーボンなどを含有した導電性インキでアンテナ部１３が形成され、アンテナ部１３を構成する素子のパターン形状としてダイポールアンテナ形状が採用されている。
【００４５】
ところで、周波数ｆの電波が真空中における光速度ｃで伝搬するときにその波長λ０は次の数式１の関係式で表わせる。
【００４６】
【数１】
2005071179.tif 000003
【００４７】
一方で、伝送路であるアンテナ部１３内を電波が伝搬する速度は一般に真空中の光速度ｃよりも遅いので、アンテナ部１３における波長λはλ０よりも短くなる。ここで、λ／λ０を波長短縮率ｐというが、この波長短縮率ｐは誘電率εを用いて次の数式２の関係式で表わせる。
【００４８】
【数２】
2005071179.tif 000004
【００４９】
数式２において波長短縮率ｐは誘電率εの平方根の逆数であるから、誘電率εの値が高くなれば波長短縮率ｐの値が小さくなり、これにより波長λの長さを短縮できることが分かる。すなわち、被覆層３１を高誘電率の材料で構成することでアンテナ部１３の長さをλ／２よりも短く形成して共振させることが可能になる。例えばＵＨＦ（９５６ＭＨｚ）ではλ／２（約１５ｃｍ）よりも短く、マイクロ波（２．４５ＧＨｚ）ではλ／２（約６ｃｍ）よりも短い長さのアンテナ部１３を形成できる。
【００５０】
したがって、本実施形態のＲＦＩＤデータキャリアＣ６では、上述した各実施形態と同様に基材１１にアンテナ部１３を直接形成した構成に比べて交信距離の低下を防ぐことができ、加えてアンテナ部１３を短くすることでＲＦＩＤデータキャリアＣ６の小型・軽量化を図ることができるので、このＲＦＩＤデータキャリアＣ６を小さなサイズの帳票に貼付する場合に好適である。
【００５１】
次に、図７に示すＲＦＩＤデータキャリアＣ７では、紙製の基材１１上に形成される被覆層４１が隠蔽性の高い材料で構成されていることが特徴である。隠蔽性の高い材料としては、例えば顔料に酸化チタンを含有した白色系インキを塗布する構成や、白色フィルムを貼着する構成が考えられる。被覆層４１は少なくともアンテナ部１３の形状と略同一形状に形成され、より好ましくは基材１１の片側全面に設けられる。
【００５２】
そして、この被覆層４１の上には銀ペースト，黒鉛，カーボンなどを含有した導電性インキでアンテナ部１３が形成され、アンテナ部１３を構成する素子のパターン形状はダイポールアンテナ形状が採用されている。また、基材１１の反対面には各種印刷インキによる目視情報部４２が印刷されている。
【００５３】
このＲＦＩＤデータキャリアＣ７によると、隠蔽性を有する被覆層４１によってアンテナ部１３が基材１１の反対側に透けて見えることがなくなる。このため、アンテナ部１３とは反対側の基材１１上に印刷された目視情報部４２の視認性が向上するという利点がある。なお、本実施形態においても基材１１とアンテナ部１３との間に被覆層４１があることで、上述した各実施形態と同様に基材１１にアンテナ部１３を直接形成した構成に比べて交信距離の低下を防ぐことができる。
【００５４】
さらに、図８に示すＲＦＩＤデータキャリアＣ８は、基材１１の上に形成される被覆層５１にハーフカット加工が施されていることが特徴である。本実施形態では、被覆層５１の一構成例として合成樹脂製のフィルム部１４にあらかじめＩＣ部１２とアンテナ部１３が印刷されたインレイを紙製の基材１１の上に貼着する構成を採用している。そして、このインレイのフィルム部１４にアンテナ部１３を避けるようにして複数本のハーフカット部５２，５２，…が形成されている。
【００５５】
同図のようにアンテナ部１３を構成する素子のパターン形状に八木・宇田アンテナ形状を採用した場合には、ハーフカット部５２は、放射器１３−１と反射器１３−３との間、放射器１３−１と導波器１３−２との間、さらには導波器１３−２，１３−２間にそれぞれ直線状に形成される。
【００５６】
ところで、このＲＦＩＤデータキャリアＣ８に対して例えばサーマルプリンタで印字処理を施す場合に、サーマルヘッドの熱によって紙製の基材１１は伸縮し易い。また、使用環境によっては吸脱湿による基材１１の伸縮も起こり得る。一方で、合成樹脂製のフィルム部１４は温度や湿度の変化による伸縮が起きにくい。このような要因で、インレイを貼付したＲＦＩＤデータキャリアＣ８ではカールが発生し易くなっている。
【００５７】
本実施形態では、インレイのフィルム部１４に上述したようなハーフカット部５２が形成されているので、このハーフカット部５２によって紙製の基材１１の伸縮に応じてフィルム部１４も自在に伸縮してカールの発生を効果的に防ぐことができる。したがって、本実施形態のＲＦＩＤデータキャリアＣ８は、サーマルプリンタによる印字特性や耐環境性に優れたものになる。
【００５８】
なお、このようなカール抑止効果は特に基材１１の上に大きな面積のインレイを貼着する場合に顕著に発揮される。また、ハーフカット加工を施してハーフカット部５２を形成する構成の替わりに、ミシン加工を施してミシン目を形成する構成を採用しても同様なカール抑止効果が得られる。
【００５９】
以上のように構成されたＲＦＩＤデータキャリアＣは、例えば車両の出庫管理に必要な物流管理票としての用途が考えられる。
【００６０】
図９に示すように、現状では、バーコードなどの光学式読み取り文字を印刷した紙製の管理票を車両に取り付けておき、この管理票を光学式読み取り装置で読み取り、そして目視により手入力して出庫するという一連の作業が行われており、装置による読み取りと手入力に多大な手間を要していた。
【００６１】
そこで、このＲＦＩＤデータキャリアＣを物流管理票として使用し、基材１１は紙製で印刷も可能であるから必要項目を印刷して車両に取り付けておけば、あとはＲ／Ｗアンテナを通過させるだけでＩＣ部１２のメモリに記憶された各種データを自動で読み取ることができ、しかも目視による確認も行えて出庫することが可能になる。したがって、現状の読み取りや手入力といった手間が省けてその労力が格段に軽減されるとともに、出庫管理に要する時間の大幅な短縮化を図ることができる。
【００６２】
続いて、本発明の具体的な実施例について説明する。
【００６３】
下記の試料１ないし試料５のＲＦＩＤデータキャリアを製作し、ドライヤーで数分間乾燥させたものを試験前のサンプル、室温４０℃・湿度９０％の環境下で２時間放置したものを試験後のサンプルとして、試験前と試験後におけるそれぞれのデータキャリアの最大交信距離とその変化率を室温２４℃・湿度５０％の環境下で測定した。
【００６４】
（１）試料１…紙製の基材上にアンテナ部を直接形成したもの
【００６５】
（２）試料２…紙製の基材上にＰＥＴ樹脂フィルムを片面全面貼着した被覆層を設けて被覆層上にアンテナ部を形成したもの
【００６６】
（３）試料３…紙製の基材上にポリエステル樹脂をアンテナのパターン形状で片面部分印刷した被覆層を設けて被覆層上にアンテナ部を形成したもの
【００６７】
（４）試料４…紙製の基材上に紫外線硬化型インキを片面全面印刷した被覆層を設けて被覆層上にアンテナ部を形成したもの
【００６８】
（５）試料５…紙製の基材上にＰＥＴ樹脂フィルムを放射器の形状のみに片面部分貼着した被覆層を設けて被覆層上にアンテナ部を形成したもの
【００６９】
試料１ないし試料５において、アンテナ部の形状は図１ないし図３に示した９素子八木・宇田アンテナ形状を採用した。また、Ｒ／Ｗアンテナは４素子直線偏波、Ｒ／ＷはＪＲＦＳロングレンジタイプを使用した。
【００７０】
そして、試料１ないし試料５の試験前のサンプルと試験後のサンプルにおける最大交信距離を読み出しと書き込みの両方について測定した結果を下記の表１に示す。なお、表１中で最大交信距離はその単位をｃｍで示し、変化率は（試験前の最大交信距離−試験後の最大交信距離）／（試験前の最大交信距離）×１００（％）で示している。
【００７１】
【表１】
2005071179.tif 000005
【００７２】
表１の試験結果から明らかなように、基材上にアンテナ部を直接形成した試料１については、読み出しと書き込みの両方で最大交信距離が５０％以上も低下した。
【００７３】
各々の読み出しの変化率を見てみると、試料１は５５．７％、試料２は５．２％、試料３と試料４はともに１１．０％、試料５は４１．４％であった。また、各々の書き込みの変化率を見てみると、試料１は６２．２％、試料２は１９．０％、試料３と試料４はともに２９．８％、試料５は５４．８％であった。このことから、読み出しよりも書き込みの方が最大交信距離の変化率が若干高くなるものの、試料２，試料３，試料４，および試料５は、試料１に比べると読み出しと書き込みの双方において最大交信距離の変化率を軽減させることができた。
【００７４】
したがって、基材上にアンテナ部を直接形成するよりも、基材上に被覆層を設けてその被覆層上にアンテナ部を形成する方が最大交信距離の変化率を抑えることができ、ＲＦＩＤデータキャリアとＲ／Ｗアンテナとの交信距離の低下を軽減できることが判明した。
【００７５】
続いて、試料２ないし試料５について読み出しと書き込みの変化率を見ると、それぞれ試料２が５．２％と１９．０％、試料３が１１．０％と２９．８％、試料４が１１．０％と２９．８％、試料５が４１．４％と５４．８％であり、試料２から試料５にかけて変化率が徐々に増加しているのが読み取れる。
【００７６】
このことから、被覆層を設ける場合には、放射器の形状のみに部分印刷するよりもアンテナのパターン形状で部分印刷した方がより交信距離の低下を軽減できた。
【００７７】
なお、試料２と試料４について読み出しと書き込みの双方の変化率を比べると、試料２が５．２％と１９．０％であるのに対して、試料４が１１．０％と２９．８％であり、試料４よりも試料２の方が変化率は小さくなっている。このことから、被覆層を基材の片面全面に設ける場合にあっては、樹脂含有の紫外線硬化型インキを印刷するよりも樹脂フィルムを貼着する方が望ましいことが判明した。
【図面の簡単な説明】
【００７８】
【図１】本発明に係るＲＦＩＤデータキャリアの第１実施形態を示す（ａ）は平面図、（ｂ）は同図（ａ）のＢ−Ｂ線断面図。
【図２】本発明に係るＲＦＩＤデータキャリアの第２実施形態を示す（ａ）は平面図、（ｂ）は同図（ａ）のＢ−Ｂ線断面図。
【図３】本発明に係るＲＦＩＤデータキャリアの第３実施形態を示す（ａ）は平面図、（ｂ）は同図（ａ）のＢ−Ｂ線断面図。
【図４】本発明に係るＲＦＩＤデータキャリアの第４実施形態を示す（ａ）は平面図、（ｂ）は同図（ａ）のＢ−Ｂ線断面図。
【図５】本発明に係るＲＦＩＤデータキャリアの第５実施形態を示す（ａ）は平面図、（ｂ）は同図（ａ）のＢ−Ｂ線断面図。
【図６】本発明に係るＲＦＩＤデータキャリアの第６実施形態を示す（ａ）は平面図、（ｂ）は同図（ａ）のＢ−Ｂ線断面図。
【図７】本発明に係るＲＦＩＤデータキャリアの第７実施形態を示す（ａ）は平面図、（ｂ）は同図（ａ）のＢ−Ｂ線断面図。
【図８】本発明に係るＲＦＩＤデータキャリアの第８実施形態を示す（ａ）は平面図、（ｂ）は同図（ａ）のＢ−Ｂ線断面図。
【図９】本発明に係るＲＦＩＤデータキャリアの使用例を説明する図。
【符号の説明】
【００７９】
Ｃ（Ｃ１〜Ｃ８）…ＲＦＩＤデータキャリア
１１…基材
１２…ＩＣ部
１３…アンテナ部
１３−１…放射器
１３−２…導波器
１３−３…反射器
１３−４…ダイポールアンテナ素子
１３−５…メアンダラインアンテナ素子
１４…フィルム部
２１（２１−１，２１−２，２１−３，２１−４，２１−５）…被覆層
３１…高誘電率被覆層
４１…高隠蔽性被覆層
４２…目視情報部
５１…被覆層
５２…ハーフカット部
【図１】
2005071179.tif 000006
【図２】
2005071179.tif 000007
【図３】
2005071179.tif 000008
【図４】
2005071179.tif 000009
【図５】
2005071179.tif 000010
【図６】
2005071179.tif 000011
【図７】
2005071179.tif 000012
【図８】
2005071179.tif 000013
【図９】
2005071179.tif 000014